【事件の表示】
　特許第６５６３２９２号発明「ポリアセタール樹脂組成物及びその成形体」の特許異議申立事件について、次のとおり決定する。
【結　論】
　特許第６５６３２９２号の特許請求の範囲を訂正請求書に添付された訂正特許請求の範囲のとおり、訂正後の請求項〔１−８〕について訂正することを認める。
　特許第６５６３２９２号の請求項１ないし８に係る特許を維持する。
【理　由】
第１　手続の経緯・本件異議申立の趣旨・審理範囲
　
１．本件特許の設定登録までの経緯
　本件特許第６５６３２９２号に係る出願（特願２０１５−１８８９０８号、以下「本願」ということがある。）は、平成２７年９月２５日に出願人旭化成ケミカルズ株式会社によりされた特許出願であり、平成２８年４月１日に旭化成株式会社（以下「特許権者」ということがある。）に名義変更されたものであって、令和元年８月２日に特許権の設定登録（請求項の数８）がされ、令和元年８月２１日に特許掲載公報が発行されたものである。
　
２．本件特許異議の申立ての趣旨
　本件特許につき、令和２年２月４日に特許異議申立人渋谷都（以下「申立人」ということがある。）により、「特許第６５６３２９２号の特許請求の範囲の請求項１ないし８、すなわち全請求項に記載された発明についての特許を取り消すべきである。」という趣旨の本件特許異議の申立てがされた。（以下、当該申立てを「申立て」ということがある。）
　
３．審理すべき範囲
　上記２．の申立ての趣旨からみて、特許第６５６３２９２号の特許請求の範囲の請求項１ないし８に係る発明についての特許を審理の対象とすべきものであって、本件特許異議の申立てに係る審理の対象外となるものはない。
　
４．以降の手続の経緯
　令和２年　６月２５日付け　取消理由通知
　令和２年　８月３１日　　　意見書・訂正請求書
　令和２年　９月　３日付け　通知書（申立人あて）
　令和２年１０月　６日　　　意見書（申立人）
　令和２年１２月２４日付け　取消理由通知（決定の予告）
　令和３年　３月　２日　　　意見書・訂正請求書
　令和３年　３月１１日付け　通知書（申立人あて）
　令和３年　４月１３日　　　意見書（申立人）
（なお、令和３年３月２日に訂正請求されたことにより、令和２年８月３１日にされた訂正請求は取り下げられたものとみなされた。）
　　
第２　申立人が主張する取消理由の概要
　申立人が主張する取消理由はそれぞれ以下のとおりである。
　
　申立人は、同人が提出した本件特許異議申立書（以下、「申立書」という。）において、下記甲第１号証及び甲第２号証を提示し、具体的な取消理由として、概略、以下の（１）ないし（４）が存するとしている。
　
（１）本件特許の請求項１ないし３及び８に係る発明は、いずれも甲第１号証に記載された発明であるから、特許法第２９条第１項第３号に該当し、特許を受けることができないものであり、それらの特許は特許法第２９条の規定に違反してされたものであって、同法第１１３条第２号に該当し、取り消すべきものである。（以下「取消理由１」という。）
（２）本件特許の請求項１ないし５及び８に係る発明は、いずれも甲第１号証及び甲第２号証に記載された発明に基づいて、当業者が容易に発明をすることができたものであり、特許法第２９条第２項の規定により特許を受けることができないものであるから、それらの特許は特許法第２９条の規定に違反してされたものであって、同法第１１３条第２号に該当し、取り消すべきものである。（以下、甲第１号証に記載された発明に基づく理由を「取消理由２−１」、甲第２号証に記載された発明に基づく理由を「取消理由２−２」、両者を併せて「取消理由２」という。）
（３）本件の請求項１ないし８の記載は、いずれも記載不備であり、特許法第３６条第６項第１号に適合するものではなく、同法同条同項（柱書）に規定する要件を満たしていないから、本件の請求項１ないし８に係る発明についての特許は、上記要件を満たしていない特許出願に対してされたものであって、同法第１１３条第４号に該当し、取り消すべきものである。（以下「取消理由３」という。）
（４）本件特許明細書の発明の詳細な説明の記載では、記載不備であり、特許法第３６条第４項第１号に規定する要件を満たしていないから、本件の請求項１ないし８に係る発明についての特許は、上記要件を満たしていない特許出願に対してされたものであって、同法第１１３条第４号に該当し、取り消すべきものである。（以下「取消理由４」という。）
　
・申立人提示の甲号証
甲第１号証：特許第４０６０８３１号公報
甲第２号証：特開２００４−３５９７９１号公報
（以下、上記「甲第１号証」及び「甲第２号証」を、それぞれ、「甲１」及び「甲２」と略す。）
　
第３　当審が通知した取消理由の概要
　当審は、本件特許第６５６３２９２号に対する上記第２に示す特許異議の申立てを審理した上、以下の取消理由を通知した。
　
１．令和２年６月２５日付けで通知した取消理由
●本件の請求項１ないし８の記載は、いずれも記載不備であり、特許法第３６条第６項第１号及び第２号に適合するものではなく、同法同条同項（柱書）に規定する要件を満たしていないから、本件の請求項１ないし８に係る発明についての特許は、上記要件を満たしていない特許出願に対してされたものであって、同法第１１３条第４号に該当し、取り消すべきものである。（以下、第１号に係る理由を「取消理由Ａ−１」、第２号に係る理由を「取消理由Ａ−２」という。）
　
２．令和２年１２月２４日付けで通知した取消理由
●本件の請求項３ないし８の記載は、いずれも下記の理由により記載不備であり、特許法第３６条第６項第２号に適合するものではなく、同法同条同項（柱書）に規定する要件を満たしていないから、本件の請求項３ないし８に係る発明についての特許は、上記要件を満たしていない特許出願に対してされたものであって、同法第１１３条第４号に該当し、取り消すべきものである。（以下「取消理由Ｂ」という。）
第４　令和３年３月２日付訂正請求による訂正の適否
１．訂正内容
　令和３年３月２日にされた訂正請求による訂正（以下「本件訂正」という。）は、訂正前の請求項１及び同請求項１を直接又は間接的に引用する請求項２ないし８を一群の請求項ごとに訂正するものであって、以下の訂正事項を含むものである。
　
（１）訂正事項１
　特許請求の範囲の請求項１に、
「（Ａ）ポリアセタール樹脂１００質量部と、（Ｂ）ガラス系充填材１０質量部以上１００質量部以下と、を含むポリアセタール樹脂組成物であって、
（Ａ）ポリアセタール樹脂の末端ＯＨ基濃度が２以上１５ｍｍｏｌ／ｋｇ以下であり、かつ、（Ｂ）ガラス系充填材のサイジング剤として少なくとも１種の酸成分を含む、
ポリアセタール樹脂組成物。」
と記載されているのを、
「（Ａ）ポリアセタール樹脂１００質量部と、（Ｂ）ガラス系充填材１０質量部以上１００質量部以下と、を含むポリアセタール樹脂組成物であって、
（Ａ）ポリアセタール樹脂の末端ＯＨ基濃度が２以上１５ｍｍｏｌ／ｋｇ以下であり、かつ、（Ｂ）ガラス系充填材のサイジング剤として少なくとも１種の酸成分を含
み、
　前記（Ｂ）ガラス系充填材のサイジング剤の酸成分がカルボン酸である
ポリアセタール樹脂組成物。」
に訂正する。
（２）訂正事項２
　特許請求の範囲の請求項２に、
「前記（Ｂ）ガラス系充填材のサイジング剤の酸成分がカルボン酸である、請求項１記載のポリアセタール樹脂組成物。」
と記載されているのを、
「
前記カルボン酸が、カルボン酸含有不飽和ビニル単量体と該カルボン酸含有不飽和ビニル単量体以外の不飽和ビニル単量体とを構成単位として含む共重合体、カルボン酸無水物含有不飽和ビニル単量体と該カルボン酸無水物含有不飽和ビニル単量体以外の不飽和ビニル単量体とを構成単位として含む共重合体、及び、ポリマレイン酸からなる群より選択される少なくとも１種
に訂正する。
（３）訂正事項３
　特許諸求の範囲の請求項３に、
「請求項１又は２に記載のポリアセタール樹脂組成物。」
と引用して記載されているのを、
「請求項
１記
に訂正する。
２．検討
　以下の検討において、本件訂正前の請求項１ないし８をそれぞれ項番に従い「旧請求項１」のようにいい、訂正後の請求項１ないし８についてそれぞれ項番に従い「新請求項１」のようにいう。
（１）訂正の目的
　上記訂正事項１に係る訂正では、旧請求項１につき、旧請求項２の記載に基づき、「酸成分」について、カルボン酸に限定することにより、旧請求項１に係る特許請求の範囲が減縮されて新請求項１となっていることが明らかであるから、訂正事項１に係る訂正は、特許請求の範囲の減縮を目的とするものである。
　また、上記訂正事項２に係る訂正では、旧請求項２につき、明細書の【００３３】の記載に基づき、「カルボン酸」について、特定の３種のものに限定することにより、旧請求項２に係る特許請求の範囲が減縮されて新請求項２となっていることが明らかであるから、訂正事項２に係る訂正は、特許請求の範囲の減縮を目的とするものである。
　さらに、上記訂正事項３に係る訂正では、旧請求項１及び２を選択的に引用していた旧請求項３につき、訂正事項２に係る訂正がされたことにより引用関係が不明となった請求項２との引用関係を解消し、請求項１のみを引用するものとして引用関係を整合させて新請求項３としたものであるから、訂正事項３に係る訂正は、明瞭でない記載の釈明を目的とするものである。
　したがって、本件訂正における上記訂正事項１ないし３に係る訂正は、特許法第１２０条の５第２項ただし書第１号又は第３号に掲げる目的要件に適合する。
（２）新規事項の追加及び特許請求の範囲の実質的拡張又は変更の有無
　上記（１）でそれぞれ説示したとおり、訂正事項１及び２に係る各訂正は、訂正前の特許請求の範囲又は明細書の記載に基づいて、旧請求項１及び２に係る特許請求の範囲を実質的に減縮していることが明らかであり、また、訂正事項３に係る訂正は、引用関係の不整合を単に整合させているのであるから、訂正事項１ないし３に係る訂正は、いずれも、新たな技術的事項を導入するものではなく、訂正前の各請求項に係る特許請求の範囲を実質的に変更又は拡張するものでもない。
　したがって、上記各訂正事項に係る訂正は、特許法第１２０条の５第９項で準用する同法第１２６条第５項及び第６項の規定を満たすものである。
（３）独立特許要件について
　本件特許異議の申立ては、請求項１ないし８の全ての請求項についてされているから、本件訂正に係る訂正の適否の検討において、独立特許要件につき検討すべき請求項が存するものではない。
３．訂正に係る検討のまとめ
　以上のとおり、本件訂正は、特許法第１２０条の５第２項ただし書第１号又は第３号に掲げる事項を目的とするものであり、かつ、同条第９項において準用する同法第１２６条第５項及び第６項の規定に適合するので、訂正後の請求項〔１−８〕について訂正を認める。
第５　訂正後の本件特許に係る請求項に記載された事項
　訂正後の本件特許に係る請求項１ないし８には、以下の事項が記載されている。
「【請求項１】
　（Ａ）ポリアセタール樹脂１００質量部と、（Ｂ）ガラス系充填材１０質量部以上１００質量部以下と、を含むポリアセタール樹脂組成物であって、
（Ａ）ポリアセタール樹脂の末端ＯＨ基濃度が２以上１５ｍｍｏｌ／ｋｇ以下であり、かつ、（Ｂ）ガラス系充填材のサイジング剤として少なくとも１種の酸成分を含み、
　前記（Ｂ）ガラス系充填材のサイジング剤の酸成分がカルボン酸である、
ポリアセタール樹脂組成物。
【請求項２】
　前記カルボン酸が、カルボン酸含有不飽和ビニル単量体と該カルボン酸含有不飽和ビニル単量体以外の不飽和ビニル単量体とを構成単位として含む共重合体、カルボン酸無水物含有不飽和ビニル単量体と該カルボン酸無水物含有不飽和ビニル単量体以外の不飽和ビニル単量体とを構成単位として含む共重合体、及び、ポリマレイン酸からなる群より選択される少なくとも１種である、請求項１記載のポリアセタール樹脂組成物。
【請求項３】
　前記（Ｂ）ガラス系充填材のサイジング剤の酸成分がアクリル酸である、請求項１記載のポリアセタール樹脂組成物。
【請求項４】
　前記（Ａ）ポリアセタール樹脂１００質量部に対して、さらに（Ｃ）ホルムアルデヒド捕捉剤を０．０１〜５質量含む、請求項１〜３のいずれか１項に記載のポリアセタール樹脂組成物。
【請求項５】
　前記（Ａ）ポリアセタール樹脂１００質量部に対して、さらに（Ｄ）耐候剤を０．０１〜５質量部含む、請求項１〜４のいずれか１項に記載のポリアセタール樹脂組成物。
【請求項６】
　前記（Ａ）ポリアセタール樹脂がブロック成分を含む、請求項１〜５のいずれか１項に記載のポリアセタール樹脂組成物。
【請求項７】
　前記ブロック成分が水素添加ポリブタジエン成分である、請求項６に記載のポリアセタール樹脂組成物。
【請求項８】
　請求項１〜７のいずれか１項に記載のポリアセタール樹脂組成物を含む成形体。」
（以下、上記請求項１ないし８に係る各発明につき、項番に従い「本件発明１」ないし「本件発明８」といい、併せて「本件発明」と総称することがある。）
第６　当審の判断
　当審は、
当審が通知した上記取消理由及び申立人が主張する上記取消理由についてはいずれも理由がなく、ほかに本件の各特許を取り消すべき理由も発見できないから、本件の請求項１ないし８に係る発明についての特許は、いずれも取り消すべきものではなく、維持すべきもの、
と判断する。
　以下、当審が通知した取消理由及び申立人が主張する取消理由につき具体的に検討・詳述する。
　
Ｉ．取消理由１及び２について
　申立人が主張する取消理由１及び２は、いずれも本件特許が特許法第２９条に違反して特許されたものであることをいうものであるから、併せて検討する。
１．各甲号証に記載された事項及び各甲号証に記載された発明
　上記取消理由１及び２につき検討するにあたり、甲１及び甲２に記載された事項を確認し、記載された事項に基づき、甲１及び甲２に記載された各発明の認定を行う。（記載事項に係る下線は、元々あるものを除き、当審が付した。）
　
（１）甲１
　
ア．甲１に記載された事項
　甲１には、以下の事項が記載されている。
　
（１ａ）
「【請求項１】
　
集束剤として、ポリアクリル酸、ハロゲン化アンモニウム、ポリウレタン樹脂、及びアミノシラン系カップリング剤とを含み、前記集束剤の固形分がチョップドストランドの全量に対し０．１〜１．０質量％付着していることを特徴とするチョップドストランド。
【請求項２】
　
前記集束剤は、ポリアクリル酸の固形分１００質量部に対し、ハロゲン化アンモニウムの固形分が０．３〜３質量部、ポリウレタン樹脂の固形分が１０〜１００質量部、及びアミノシラン系カップリング剤の固形分が５〜５０質量部である請求項１に記載のチョップドストランド。
【請求項３】
　前記集束剤の成分として更に蛍光増白剤を含む請求項１又は２に記載のチョップドストランド。
・・（中略）・・
【請求項７】
　
請求項１〜６のいずれか１つに記載のチョップドストランドと、ポリアセタール樹脂とを混練してなるガラス含有率が５〜７０質量％である繊維強化ポリアセタール樹脂成形材料。
　
（１ｂ）
「【技術分野】
【０００１】
　本発明は、機械強度に優れたポリアセタール樹脂成形品を得るためのチョップドストランド及び繊維強化ポリアセタール樹脂成形材料に関する。
【背景技術】
【０００２】
　ポリアセタール樹脂は、機械強度、電気特性、化学特性に優れており、エレクトロニクス、自動車、ＯＡ機器、機械、家電製品等多方面で利用されている。
【０００３】
　一般的に熱硬化性樹脂及び熱可塑性樹脂からなる樹脂成形品は、ガラス繊維をはじめとするチョップドストランド等を補強材として用い、該補強材を樹脂と混練することで機械強度を向上させている。しかしながら、ポリアセタール樹脂は、化学的に不活性であるため、ポリアミド樹脂、ポリカーボネート樹脂、及びポリエチレンテレフタレート樹脂等に比べ、ガラス繊維をはじめとする補強材を配合しても、目立った補強効果が得られにくいという問題点がある。
・・（中略）・・
【発明が解決しようとする課題】
【０００６】
　上記特許文献１では、集束剤に含まれるカチオン系潤滑剤を水溶化させ、均質なものとするため、集束剤に酢酸を用いている。そのため、該集束剤をガラス繊維に付与した際、ガラス繊維の表面に酢酸が残存することがある。この残存した酢酸がポリアセタール樹脂を分解してしまい、ポリアセタール樹脂成形材料の機械強度の向上を阻害してしまう。
【０００７】
　また、上記特許文献２では、ポリアセタール樹脂の分解を抑制することでポリアセタール樹脂成形品の機械強度向上を図っており、カチオン系潤滑剤を水溶化させて均質な集束剤とするため、ｐＨ調整剤として亜リン酸を用いている。しかしながら、ポリアセタール樹脂自体が化学的に不活性であるため、ポリアセタール樹脂とガラス繊維との接着性は良好とはいえず、充分な機械強度を得ることができない。
【０００８】
　よって、本発明は上記問題点に鑑みてなされたもので、その目的は、ポリアセタール樹脂成形品の機械強度を向上させることのできるチョップドストランド及び繊維強化ポリアセタール樹脂成形材料を提供することにある。
【課題を解決するための手段】
【０００９】
　本発明者らは、ポリアセタール樹脂自体が化学的に不活性であるため、ガラス繊維でポリアセタール樹脂を補強した際、ガラス繊維とポリアセタール樹脂とが接着不良になりやすく、これがポリアセタール樹脂の補強効果に影響を及ぼしていると考えた。
【００１０】
　そこで、
ポリアセタール樹脂とガラス繊維との接着性を向上させることに注目し、集束剤に含有させる成分のうちポリアセタール樹脂を適度に分解して活性化させる成分について鋭意検討した結果、本発明に至った。
　
（１ｃ）
「【発明の効果】
【００２０】
　本発明の繊維強化ポリアセタール樹脂成形材料用チョップドストランドは、ポリアクリル酸、ハロゲン化アンモニウム、ポリウレタン樹脂、及びアミノシラン系カップリング剤を含む集束剤の固形分が、該チョップドストランドの全量に対し、０．１〜１．０質量％付着しており、特にポリアセタール樹脂に対し高い補強効果をもたらすことができる。
【００２１】
　そして、本発明のチョップドストランドを用いた繊維強化ポリアセタール樹脂成形材料は、機械強度に優れたポリアセタール樹脂成形品を提供することができる。」
　
（１ｄ）
「【００４６】
  本発明において、チョップドスランドを製造する方法については特に限定は無く、従来公知の様々な方法を使用することができる。
【００４７】
  例えば、
溶融したガラスをブッシングの底部に取り付けた多数のノズルより引き出し、このガラス繊維にアプリケーターまたはスプレーで集束剤を塗布し、ガラス繊維束を好ましくは１．５〜１３ｍｍに切断する。
【００４８】
  次いで、ガラス繊維束切断物の乾燥工程に移るが、乾燥工程前に再度集束剤を塗布しても良い。乾燥温度及び乾燥時間は任意で特に限定はないが、ガラス繊維束の集束性を損なわせず乾燥工程を効率的に実施するため、乾燥温度を１２０〜２２０℃、乾燥時間を１０秒〜１０分間とすることが好ましい。
【００４９】
  上記のようにして本発明のチョップドストランドが得られる。
【００５０】
　また、上記のチョップドストランドを、溶融したポリアセタール樹脂に含浸させることで繊維強化ポリアセタール樹脂成形材料が得られる。
【００５１】
　
本発明において、ポリアセタール樹脂としては特に限定はなく、例えば、単独重合体のポリオキシメチレン、トリオキサンとエチレンオキシドから得られるホルムアルデヒド−エチレンオキシド共重合体、ポリウレタン含有ポリアセタール、又はエラストマー含有ポリアセタール等の変性ポリアセタール樹脂等が挙げられる。」
（１ｅ）
「【実施例】
【００５５】
　以下実施例を挙げて本発明を具体的に説明する。しかし、これらの実施例は本発明の実施態様を具体的に説明するものであり、本発明の範囲を限定するものではない。
【００５６】
　〔チョップドストランドの作製〕
　平均径１０μｍのガラス繊維を３，０００本集束させ、表１に示す原料を用い、表２に示す配合割合（質量部）で調整した製造例１〜１１の集束剤を付与し、３ｍｍに切断して、実施例１〜８、及び比較例１〜３のチョップドストランドを得た。
【００５７】
【表１】
【００５８】
【表２】
【００５９】
　〔ポリアセタール樹脂成形品の作製〕
　ポリアセタールコポリマー（ＭＦＲ４５）に、実施例１〜８、比較例１〜３のチョップドストランドを添加し、スクリュー径３５ｍｍの２軸押出機を用い、成形温度２２０℃でガラス含有率２５質量％の繊維強化ポリアセタール樹脂成形材料を得た。
【００６０】
　次いで、型締め荷重７５ｔ、シリンダー温度１９０〜２１０℃、金型８０℃で成形し、ペレット状のポリアセタール樹脂成形品を得た。
【００６１】
　〔チョップドストランド及び、ポリアセタール樹脂成形品の性能評価〕
　＜毛羽量測定＞
　内部に中羽根を設置した容量１０リットルのＶミキサーにチョップドストランド３ｋｇを投入しミキサー回転数３０ｒｐｍ、中羽根回転数４８０ｒｐｍ（ミキサーの回転とは逆方向）にて１５分間攪拌する。その後、目開き３．３５ｍｍの篩でふるい、篩上に残った毛羽を回収し、毛羽重量を精秤した。毛羽重量が１０ｇ以下であればチョップドストランドの集束性が良好であると判断した。
【００６２】
　＜引張り強度測定＞
　ＡＳＴＭ  Ｄ−６３８に準拠した方法で測定し、１３０ＭＰａ以上であれば良好であると判断した。
【００６３】
　＜曲げ強度測定＞
　ＡＳＴＭ  Ｄ−７９０に準拠した方法で測定し、１９０ＭＰａ以上であれば良好であると判断した。
【００６４】
　＜ＩＺＯＤ衝撃強度測定＞
　１／８インチノッチ付で、ＡＳＴＭ  Ｄ−２５６に準拠した方法で測定し、６．５ＭＰａ以上であれば良好であると判断した。
【００６５】
　＜色調＞
　色差計（Σ−９０、日本電色社製）を用い、ペレット状体の樹脂成形材料の色調を測定した。色調はｂ値が１〜５の範囲内であれば、ポリアセタール樹脂が有している色調とほぼ同等であるため、色調が良好であると判断した。
【００６６】
　＜熱減量率＞
　１．５ｇに調整したポリアセタール樹脂成形品を２３０℃で６０分間焼成し、熱減量率を求めた。熱減量率が１．５％以下あれば、ガスの発生量は充分抑制できると判断した。
【００６７】
　実施例１〜８、比較例１〜３のチョップドストランド及び、ポリアセタール樹脂成形品について上記の項目の評価を行い、結果を表３に示す。
【００６８】
【表３】
【００６９】
　上記結果より、集束剤にハロゲン化アンモニウムを用いていない比較例１、及びハロゲン化アンモニウムとポリアクリル酸を用いていない比較例３のポリアセタール樹脂成形品は機械強度が劣るものであり、また、ウレタン樹脂を用いていない比較例２のチョップドストランドは集束性の悪いものであった。
【００７０】
　これに対し、ポリアクリル酸、ハロゲン化アンモニウム、ウレタン樹脂、及びアミノシラン系カップリング剤を含む集束剤を用いた実施例１〜８のチョップドストランドは、集束性に優れ、またそれを用いたポリアセタール樹脂成形品は機械強度に優れたものである。
【００７１】
　また、固形分換算で０．３〜３質量％の蛍光増白剤を更に含む集束剤を用いた実施例１〜６のポリアセタール樹脂成形品は、黄味がかりや青味がかりを抑えることができ、ポリアセタール樹脂とほぼ同等の色調を備えることができる。
【００７２】
　そして、ポリウレタン樹脂の含有量が１０〜１００質量部である実施例１〜５のポリアセタール樹脂成形品はより機械強度に優れるものであり、更には、ハロゲン化アンモニウムの固形分量が０．３〜３質量部である実施例１〜４のポリアセタール樹脂成形品は加熱によるガス発生量を低減することができる。
【００７３】
　よって、本発明によれば、色調及び集束性に優れ、加熱によるガス発生量の少ないチョップドストランドとすることができ、また、該チョップドストランドを補強材として用いた繊維強化ポリアセタール樹脂成形材料は、機械強度、及び色調の良いポリアセタール樹脂成形品を提供とすることができる。」
　
イ．甲１に記載された発明
　甲１には、上記ア．の記載事項（特に摘示（１ａ）の下線部）からみて、
「ポリアクリル酸の固形分１００質量部に対し、ハロゲン化アンモニウムの固形分が０．３〜３質量部、ポリウレタン樹脂の固形分が１０〜１００質量部、及びアミノシラン系カップリング剤の固形分が５〜５０質量部である集束剤が、チョップドストランドの全量に対し固形分として０．１〜１．０質量％付着しているチョップドストランドと、ポリアセタール樹脂とを混練してなるガラス含有率が５〜７０質量％である繊維強化ポリアセタール樹脂成形材料。」
に係る発明（以下「甲１発明」という。）が記載されている。
　
（２）甲２
　
ア．甲２に記載された事項
　上記甲２には、以下の事項が記載されている。
（２ａ）
「【特許請求の範囲】
【請求項１】
ポリアセタール樹脂成分（Ａ）１００重量部にガラス系無機充填材（Ｂ）３〜２００重量部を配合してなるポリアセタール樹脂組成物であって、該ポリアセタール樹脂成分（Ａ）が、分子中に０〜２０ｍｍｏｌ／ｋｇの水酸基を有するポリアセタール樹脂（Ａ１）９９．９〜８０重量部と分子中に５０〜２０００ｍｍｏｌ／ｋｇの水酸基を有する変性ポリアセタール樹脂（Ａ２）０．１〜２０重量部とからなることを特徴とするポリアセタール樹脂組成物。
・・（中略）・・
【請求項５】
ガラス系無機充填材（Ｂ）が、ガラスファイバー、ガラスビーズ、ミルドガラスファイバー及びガラスフレークから選ばれた少なくとも１種である
【請求項６】
ガラス系無機充填材（Ｂ）が、シラン系カップリング剤及びチタネート系カップリング剤から選ばれた少なくとも１種で表面処理されたものである
　
（２ｂ）
「【０００１】
【発明の属する技術分野】
本発明は、機械的特性の優れたポリアセタール樹脂組成物に関するものである。
【０００２】
【従来の技術】
ポリアセタール樹脂の機械的特性、例えば強度や剛性を向上させるために、ガラス系無機充填材などの強化材を配合することが知られている。
【０００３】
しかしながら、ポリアセタール樹脂は活性に乏しく、またガラス系無機充填材も活性に乏しいため、単にポリアセタール樹脂にガラス系無機充填材を配合し溶融混練しただけでは両者の密着性は不十分なものとなり、期待するほどの機械的特性の向上が得られない場合が多い。
【０００４】
そこで、ポリアセタール樹脂とガラス系無機充填材との密着性を向上させて機械的特性を改良するための各種の方法が提案されている。
・・（中略）・・
【０００７】
【発明が解決しようとする課題】
しかしながら、これらの手法はいずれも、ガラス系無機充填材の化学的活性を高めるためには機能するものの、これだけでは化学的に不活性なポリアセタール樹脂との密着性を改善し優れた機械的強度を達成するためには必ずしも十分ではない。
【０００８】
本発明は、かかる課題を解決し、近年、ポリアセタール樹脂の利用分野の拡大に伴い要求されるより高度の機械的特性に応え得るポリアセタール樹脂組成物を提供することを目的とする。」
　
（２ｃ）
「【００３２】
次に、本発明で用いられるガラス系無機充填材（Ｂ）としては、繊維状（ガラスファイバー）、粒状（ガラスビーズ）、粉状（ミルドガラスファイバー）、板状（ガラスフレーク）及び中空状（ガラスバルーン）の充填材が挙げられ、その粒径、繊維長等に特に制限はなく、公知の何れのものも使用できる。
【００３３】
本発明においては、目的に応じてこれらの充填材から選択した１種又は２種以上を混合して使用することができる。
【００３４】
また、本発明において、これらのガラス系無機充填材は未処理のものでも使用できるが、シラン系、或いは、チタネート系カップリング剤等の表面処理剤で表面処理を施されている無機充填材を使用する方が好ましい。
【００３５】
シラン系カップリング剤としては、例えばビニルアルコキシシラン、エポキシアルコキシシラン、アミノアルコキシシラン、メルカプトアルコキシシラン、アリルアルコキシシラン等が挙げられる。
・・（中略）・・
【００４１】
また、チタネート系表面処理剤としては、例えば、チタニウム−ｉ−プロポキシオクチレングリコレート、テトラ−ｎ−ブトキシチタン、テトラキス（２−エチルヘキソキシ）チタン等が挙げられる。
【００４２】
表面処理剤の使用量は、無機充填材１００重量部に対して０．０１〜２０重量部、好ましくは０．０５〜１０重量部、特に好ましくは０．０５〜５重量部である。
【００４３】
又、
ガラス系無機充填材（Ｂ）がガラスファイバーの場合においては、更にサイズ剤として、ポリマーバインダー、接着促進剤、他の助剤などを使用しているものが好適に使用される。ポリマーバインダーとしては、一般に有機系の材料、例えば水分散性／水溶性の酢酸ポリビニル、ポリエステル、エポキシド、ポリウレタン、ポリアクリレートまたはポリオレフィン樹脂、それらの混合物など、従来公知のものが好適に使用される。
【００４４】
本発明において、ガラス系無機充填材（Ｂ）の配合量は、ポリアセタール樹脂成分（Ａ）１００重量部に対して３〜２００重量部、好ましくは５〜１５０重量部、特に好ましくは１０〜１００重量部である。３重量部未満では機械的物性の改善が不十分であり、２００重量部を越えると成形加工が困難になる。」
　
（２ｄ）
「【００４５】
本発明のポリアセタール樹脂組成物には、更に公知の各種安定剤・添加剤を配合し得る。安定剤としては、ヒンダートフェノール系化合物、メラミン、グアナミン、ヒドラジド、尿素等の窒素含有化合物、アルカリ或いはアルカリ土類金属の水酸化物、無機塩、カルボン酸塩等のいずれか１種または２種以上を挙げることができる。
　
（２ｅ）
「【００５０】
【実施例】
以下、本発明を実施例により具体的に説明するが、本発明はこれらの実施例に限定されるものではない。
［ポリアセタール樹脂（Ａ１）の調製］
トリオキサン（水分含有量１０ｐｐｍ）９６ｍｏｌ％と１，３−ジオキソラン（水分含有量１０ｐｐｍ）４ｍｏｌ％の混合物に、分子量調整剤としてメチラール１２５０ｐｐｍ（全モノマーに対し）を添加し、反応開始触媒として三フッ化ホウ素（ＢＦ３）２０ｐｐｍ（全モノマーに対し）を加えて重合を行った。得られた重合体は、トリエチルアミンを０．０５重量％含有する水溶液に導入することにより触媒の失活化を行い、更に、分離、洗浄、乾燥を行って粗ポリアセタール樹脂を得た。
【００５１】
次いで、得られた粗ポリアセタール樹脂１００重量部に対して、トリエチルアミン５重量％水溶液を３重量部、メラミン０．１５重量部、ペンタエリスリチル−テトラキス〔３−（３，５−ジ−ｔｅｒｔ−ブチル−４−ヒドロキシフエニル）プロピオネート〕（Ｉｒｇａｎｏｘ１０１０、チバガイギー社製）０．３重量部を添加し、２軸押出機にて、２００℃で溶融混練することにより不安定部分の除去及び安定剤により安定化を行い、ぺレット状のポリアセタール樹脂を得た。得られたポリアセタール樹脂はメルトインデックス（ＭＩ）２７．０ｇ／１０ｍｉｎ、重量平均分子量５１０００、
水酸基含有量５ｍｍｏｌ／ｋｇのコポリマー
［変性ポリアセタール樹脂（Ａ２−１）の調製］
トリオキサンと１，３−ジオキソランの混合物に水８００ｐｐｍ（全モノマーに対し）を添加した以外は、上記ポリアセタール樹脂（Ａ１）と同様の方法で変性ポリアセタール樹脂を調製し、触媒の失活化を行った。溶融混練処理は行わなかった。得られた変性ポリアセタール樹脂は、重量平均分子量２２７００で
１００ｍｍｏｌ／ｋｇの水酸基を有するもの
［変性ポリアセタール樹脂（Ａ２−２）の調製］
トリオキサンと１，３−ジオキソランの混合物にエチレングリコール４２００ｐｐｍ（全モノマーに対し）を添加した以外は、上記ポリアセタール樹脂（Ａ１）と同様の方法で変性ポリアセタール樹脂を調製し、触媒の失活化を行った。溶融混練処理は行わなかった。得られた変性ポリアセタール樹脂は、重量平均分子量１５６００で
１５０ｍｍｏｌ／ｋｇの水酸基を有するものであった。
実施例１〜６、比較例１〜３
ポリアセタール樹脂（Ａ１）、変性ポリアセタール樹脂（Ａ２−１又はＡ２−２）、及び以下に示す各種のガラスファイバー（Ｂ−１〜３）を、表１に示す割合で配合し、シリンダー温度２００℃の押出機で溶融混練してペレット状の組成物を調製した。次いで、このペレット状の組成物から射出成形機を用いて試験片を成形し、以下に示す評価法にて物性評価を行った。結果を表１に示す。
【００５２】
一方、比較のため、変性ポリアセタール（Ａ２）を添加しない場合についても同様にしてペレット状の組成物を調製し、物性評価を行った。結果を表１に併せて示す。
＜引張強度及び伸び＞
ＩＳＯ３１６７に準じた引張り試験片を温度２３℃、湿度５０％の条件下に４８時間放置し、ＩＳＯ５２７に準じて測定した。
＜使用したガラス系無機充填材＞
Ｂ−１：γ−アミノプロピルトリエトキシシランで表面処理したガラスファイバー
Ｂ−２：チタニウム−ｉ−プロポキシオクチレングリコレートで表面処理したガラスファイバー
Ｂ−３：Ｂ−１に更にエポキシドをポリマーバインダーとして処理したガラスファイバー
【００５３】
【表１】
【００５４】
実施例７〜１１、比較例４〜８
ポリアセタール樹脂（Ａ１）、変性ポリアセタール樹脂（Ａ２−１）、及び以下に示す各種のガラスビーズ（Ｂ−４〜８）を、表２に示す割合で配合し、シリンダー温度２００℃の押出機で溶融混練してペレット状の組成物を調製した。次いで、このペレット状の組成物から射出成形機を用いて試験片を成形し、物性評価を行った。結果を表２に示す。
【００５５】
一方、比較のため、変性ポリアセタール（Ａ２）を添加しない場合についても同様にしてペレット状の組成物を調製し、物性評価を行った。結果を表２に併せて示す。
＜使用したガラス系無機充填材＞
Ｂ−４：表面処理剤無使用のガラスビーズ
Ｂ−５：γ−アミノプロピルトリエトキシシランで表面処理したガラスビーズ
Ｂ−６：ビニルトリエトキシシランで表面処理したガラスビーズ
Ｂ−７：γ−グリシドキシプロピルトリエトキシシランで表面処理したガラスビーズ
Ｂ−８：チタニウム−ｉ−プロポキシオクチレングリコレートで表面処理したガラスビーズ
【００５６】
【表２】
【００５７】
実施例１２〜１３、比較例９〜１０
ポリアセタール樹脂（Ａ１）、変性ポリアセタール樹脂（Ａ２−１）、及び以下に示す各種のミルドガラスファイバー（Ｂ−９〜１０）を、表３に示す割合で配合し、シリンダー温度２００℃の押出機で溶融混練してペレット状の組成物を調製した。次いで、このペレット状の組成物から射出成形機を用いて試験片を成形し、物性評価を行った。結果を表３に示す。
【００５８】
一方、比較のため、変性ポリアセタール（Ａ２）を添加しない場合についても同様にしてペレット状の組成物を調製し、物性評価を行った。結果を表３に併せて示す。
＜使用したガラス系無機充填材＞
Ｂ−９：表面処理剤無使用のミルドガラスファイバー
Ｂ−１０：
γ−アミノプロピルトリエトキシシランで表面処理したミルドガラスファイバー
【００５９】
【表３】
【００６０】
実施例１４、比較例１１
ポリアセタール樹脂（Ａ１）、変性ポリアセタール樹脂（Ａ２−１）、及び以下に示すガラスフレーク（Ｂ−１１）を、表４に示す割合で配合し、シリンダー温度２００℃の押出
機で溶融混練してペレット状の組成物を調製した。次いで、このペレット状の組成物から射出成形機を用いて試験片を成形し、物性評価を行った。結果を表４に示す。
【００６１】
一方、比較のため、変性ポリアセタール（Ａ２）を添加しない場合についても同様にしてペレット状の組成物を調製し、物性評価を行った。結果を表４に併せて示す。
＜使用したガラス系無機充填材＞
Ｂ−１１：γ−アミノプロピルトリエトキシシランで表面処理したガラスフレーク
【００６２】
【表４】
　　　　　　　　　　　　　　　　　　　　　　　　　　　　　」
　
イ．甲２に記載された発明
　甲２には、上記ア．の記載事項（特に摘示（２ａ）の下線部）からみて、以下の発明が記載されている。
「ポリアセタール樹脂成分（Ａ）１００重量部に、シラン系カップリング剤及びチタネート系カップリング剤から選ばれた少なくとも１種で表面処理されたガラスファイバー、ガラスビーズ、ミルドガラスファイバー及びガラスフレークから選ばれた少なくとも１種であるガラス系無機充填材（Ｂ）３〜２００重量部を配合してなるポリアセタール樹脂組成物であって、該ポリアセタール樹脂成分（Ａ）が、分子中に０〜２０ｍｍｏｌ／ｋｇの水酸基を有するポリアセタール樹脂（Ａ１）９９．９〜８０重量部と分子中に５０〜２０００ｍｍｏｌ／ｋｇの水酸基を有する変性ポリアセタール樹脂（Ａ２）０．１〜２０重量部とからなることを特徴とするポリアセタール樹脂組成物。」
に係る発明（以下「甲２発明」という。）が記載されている。
２．検討
　本件の各発明につき、各甲号証に記載された発明又は記載に基づき検討する。
（１）取消理由１及び２−１について（甲１発明に基づく検討）
ア．本件発明１について
（ア）対比
　本件発明１と甲１発明とを対比する。
　甲１発明における「集束剤」は、チョップドストランドの表面に付着しているものであるから、表面処理剤であるという意味において、本件発明１における「サイジング剤」に相当するものといえる。
　また、甲１発明における「集束剤」に含まれる「ポリアクリル酸」は、カルボン酸基なる酸基を有するポリマーであることが当業者に自明であるから、本件発明１における「（Ｂ）ガラス系充填材のサイジング剤として少なくとも１種の酸成分を含み」及び「前記（Ｂ）ガラス系充填材のサイジング剤の酸成分がカルボン酸である」に相当し、甲１発明における「チョップドストランド」は、短繊維状物であることが当業者に自明であり、成形材料におけるガラス含有率が規定されていることからみて、ガラス短繊維状物であると解するのが自然であるから、本件発明１における「（Ｂ）ガラス系充填材」に相当するものといえる。
　さらに、甲１発明における「ポリアセタール樹脂」及び「繊維強化ポリアセタール樹脂成形材料」は、それぞれ、本件発明１における「ポリアセタール樹脂」及び「ポリアセタール樹脂組成物」に相当するものといえる。
　そして、甲１発明における「集束剤が、チョップドストランドの全量に対し固形分として０．１〜１．０質量％付着しているチョップドストランドと、ポリアセタール樹脂とを混練してなるガラス含有率が５〜７０質量％である・・成形材料」は、チョップドストランド中にガラスが９９．０〜９９．９質量％含有されており、おおむねガラス含有率の５〜７０質量％と同様の組成比でチョップドストランドが含有されているものと認められ、ポリアセタール樹脂１００質量部で換算すると、チョップドストランドが５．２６〜２３３質量部含有されていることとなるから、本件発明１における「（Ａ）ポリアセタール樹脂１００質量部と、（Ｂ）ガラス系充填材１０質量部以上１００質量部以下と、を含むポリアセタール樹脂組成物」との組成比範囲につき包含・重複する。
　してみると、本件発明１と甲１発明とは、
「（Ａ）ポリアセタール樹脂１００質量部と、（Ｂ）ガラス系充填材１０質量部以上１００質量部以下と、を含むポリアセタール樹脂組成物であって、
（Ｂ）ガラス系充填材のサイジング剤として少なくとも１種の酸成分を含み、
　前記（Ｂ）ガラス系充填材のサイジング剤の酸成分がカルボン酸である、
ポリアセタール樹脂組成物。」
で一致し、下記の点で相違する。
　
相違点１：「ポリアセタール樹脂」につき、本件発明１では「（Ａ）ポリアセタール樹脂の末端ＯＨ基濃度が２以上１５ｍｍｏｌ／ｋｇ以下であ」るのに対して、甲１発明では、末端ＯＨ基濃度につき特定されていない点
（イ）検討
　上記相違点１につき検討すると、甲１には、甲１発明における「ポリアセタール樹脂」について、末端ＯＨ基濃度を調節すべきことを認識することができる記載又は示唆がなく、一般に、末端ＯＨ基濃度を一定の範囲のものとすべき当業者の技術常識が存するものとも認められない。
　してみると、上記相違点１は実質的な相違点であるものといえる。
　また、甲１には、甲１発明における「ポリアセタール樹脂」について、末端ＯＨ基濃度を一定の範囲のものに調節することを動機付ける記載又は示唆もなく、さらに、甲２の請求項１には、「ポリアセタール樹脂成分（Ａ）が、分子中に０〜２０ｍｍｏｌ／ｋｇの水酸基を有するポリアセタール樹脂（Ａ１）９９．９〜８０重量部と分子中に５０〜２０００ｍｍｏｌ／ｋｇの水酸基を有する変性ポリアセタール樹脂（Ａ２）０．１〜２０重量部とからなる」と記載され、甲２の【００２１】には、ポリアセタール樹脂（Ａ１）は、一般に工業的に生産されているポリアセタール樹脂はこれに属すると記載されているところ、甲１発明におけるポリアセタール樹脂が、甲２に記載されたポリアセタール樹脂（Ａ１）であるとする理由はないし、また、甲２の記載があったとしても、甲１発明において相違点１を構成することに動機づけがあるとはいえないから、甲１発明に基づき、例えば甲２に記載された事項を組み合わせて相違点１につき当業者が適宜なし得ることともいうこともできない。
　そして、本件発明は機械的強度等の耐久性に優れ、色調も改善されたという効果を奏するものであり、甲１及び甲２の記載から予測できる効果ではない。
　したがって、上記相違点１は、実質的な相違点であって、さらに甲１及び甲２に記載された事項を組み合わせたとしても、甲１発明において、当業者が適宜なし得ることであるということはできない。
（ウ）小括
　よって、本件発明１は、甲１発明、すなわち甲１に記載された発明であるとはいえず、甲１に記載された発明並びに甲１及び甲２に記載された事項に基づいて、当業者が容易に発明をすることができたものであるともいうことができない。
イ．他の本件発明について
　本件発明１を直接又は間接的に引用する本件発明２ないし５及び８についても、上記ア．で説示した理由と同一の理由により、甲１発明、すなわち甲１に記載された発明であるということはできず、甲１発明に基づいて、当業者が容易に発明をすることができたということもできない。
ウ．甲１発明に基づく検討のまとめ
　以上のとおり、本件発明１ないし５及び８は、いずれも甲１に記載された発明ではなく、甲１に記載された発明並びに甲１及び甲２に記載された事項に基づいて、当業者が容易に発明をすることができたものではない。
（２）取消理由２−２について（甲２発明に基づく検討）
ア．本件発明１について
（ア）対比
　本件発明１と甲２発明とを対比すると、甲２発明における「ポリアセタール樹脂成分（Ａ）」及び「ガラスファイバー、ガラスビーズ、ミルドガラスファイバー及びガラスフレークから選ばれた少なくとも１種であるガラス系無機充填材（Ｂ）」は、それぞれ、本件発明１における「（Ａ）ポリアセタール樹脂」及び「（Ｂ）ガラス系充填材」に相当することが明らかである。
　また、甲２発明における「ポリアセタール樹脂成分（Ａ）１００重量部に、・・ガラス系無機充填材（Ｂ）３〜２００重量部を配合してなる」は、本件発明１における「（Ａ）ポリアセタール樹脂１００質量部と、（Ｂ）ガラス系充填材１０質量部以上１００質量部以下と、を含む」と組成範囲が重複する。
　さらに、甲２発明における「ポリアセタール樹脂組成物」は、本件発明１における「ポリアセタール樹脂組成物」に相当することが明らかである。
　してみると、本件発明１と甲２発明とは、
「（Ａ）ポリアセタール樹脂１００質量部と、（Ｂ）ガラス系充填材１０質量部以上１００質量部以下と、を含むポリアセタール樹脂組成物。」
で一致し、下記の点で相違する。
　
相違点２ａ：本件発明１では「（Ａ）ポリアセタール樹脂の末端ＯＨ基濃度が２以上１５ｍｍｏｌ／ｋｇ以下であ」るのに対して、甲２発明では、「ポリアセタール樹脂成分（Ａ）が、分子中に０〜２０ｍｍｏｌ／ｋｇの水酸基を有するポリアセタール樹脂（Ａ１）９９．９〜８０重量部と分子中に５０〜２０００ｍｍｏｌ／ｋｇの水酸基を有する変性ポリアセタール樹脂（Ａ２）０．１〜２０重量部とからなる」点
相違点２ｂ：本件発明１では「（Ｂ）ガラス系充填材のサイジング剤として少なくとも１種の酸成分を含み、」「前記（Ｂ）ガラス系充填材のサイジング剤の酸成分がカルボン酸である」のに対して、甲２発明では「シラン系カップリング剤及びチタネート系カップリング剤から選ばれた少なくとも１種で表面処理された・・ガラス系無機充填材（Ｂ）」である点
　
（イ）検討
　事案に鑑み、まず、上記相違点２ｂにつき検討すると、甲２には、甲２発明における「シラン系カップリング剤及びチタネート系カップリング剤から選ばれた少なくとも１種で表面処理された」「ガラス系無機充填材（Ｂ）」について、ガラス系無機充填材（Ｂ）がガラスファイバーの場合に更にサイズ剤として、ポリマーバインダー、接着促進剤、他の助剤が好適に使用され、当該ポリマーバインダーとして、水分散性／水溶性のポリアクリレートが例示の一つとして記載されているところ、カルボン酸基を有するアクリル樹脂を用いることは明示されておらず、また、具体例の記載もない（摘示（２ｃ）【００４３】）のであって、さらに、あくまでシラン系カップリング剤及びチタネート系カップリング剤から選ばれた少なくとも１種での表面処理と上記ポリマーバインダーサイズ剤とを併用して表面処理されたガラスファイバー無機充填材を好適に使用できることが記載されているにとどまるのであるから、本件発明１に係るカルボン酸である酸成分を含むサイジング剤で処理されたガラス系充填材を使用することを示唆するものとは認められない。
　そして、甲２の記載を更に検討しても、甲２発明における「シラン系カップリング剤及びチタネート系カップリング剤から選ばれた少なくとも１種で表面処理された」「ガラス系無機充填材（Ｂ）」について、本件発明１に係るカルボン酸である酸成分を含むサイジング剤で処理されたガラス系充填材に代えるべき動機となる事項が存するものとは認められない。
　また、甲１には、機械強度の向上したポリアセタール樹脂成形材料を提供することを課題として、「ポリアクリル酸の固形分１００質量部に対し、ハロゲン化アンモニウムの固形分が０．３〜３質量部、ポリウレタン樹脂の固形分が１０〜１００質量部、及びアミノシラン系カップリング剤の固形分が５〜５０質量部である集束剤が、チョップドストランドの全量に対し固形分として０．１〜１．０質量％付着しているチョップドストランドと、ポリアセタール樹脂とを混練してなるガラス含有率が５〜７０質量％である繊維強化ポリアセタール樹脂成形材料。」が記載されているところ、耐久性及び色調が改善することは記載されていないから、いくら甲２発明において、甲１に記載された「チョップドストランド」を用いたとしても、耐久性及び色調が改善することは予測することができない一方、本件発明は、耐久性及び色調が改善されるという、甲１及び甲２の記載から予測できない効果を奏するポリアセタール樹脂組成物が得られるものである。
　したがって、上記相違点２ｂは、甲２発明に基づき、たとえ甲１に記載された事項を組み合わせたとしても、当業者が適宜なし得ることであるということはできない。
　
（ウ）小括
　よって、上記相違点２ａにつき検討するまでもなく、本件発明１は、甲２発明、すなわち甲２に記載された発明並びに甲１及び甲２に記載された事項に基づいて、当業者が容易に発明をすることができたものであるということはできない。
イ．他の本件発明について
　本件発明１を直接又は間接的に引用する本件発明２ないし５及び８についても、上記ア．で説示した理由と同一の理由により、甲２に記載された発明並びに甲１及び甲２に記載された事項に基づいて、当業者が容易に発明をすることができたということもできない。
ウ．甲２発明に基づく検討のまとめ
　以上のとおり、本件発明１ないし５及び８は、いずれも甲２に記載された発明並びに甲１及び甲２に記載された事項に基づいて、当業者が容易に発明をすることができたものではない。
３．取消理由１及び２に係る検討のまとめ
　以上のとおりであるから、本件発明１ないし３及び８は、いずれも、甲１に記載された発明ではなく、また、本件発明１ないし５及び８は、甲１及び甲２に記載された発明並びに甲１及び甲２に記載された事項に基づいて、当業者が容易に発明をすることができたものでもない。
　よって、申立人が主張する取消理由１及び２は、いずれも理由がない。
ＩＩ．取消理由３及び取消理由Ａ−１について
　申立人が主張する取消理由３と当審が通知した取消理由Ａ−１は、いずれも特許法第３６条第６項第１号に係る理由（いわゆる「明細書のサポート要件」）についてのものであるから、以下併せて検討する。
１．サポート要件に係る考え方について（前提）
　一般に「特許請求の範囲の記載が、明細書のサポート要件に適合するか否かは、特許請求の範囲の記載と発明の詳細な説明の記載とを対比し、特許請求の範囲に記載された発明が、発明の詳細な説明に記載された発明で、発明の詳細な説明の記載により当業者が当該発明の課題を解決できると認識できる範囲のものであるか否か、また、その記載や示唆がなくとも当業者が出願時の技術常識に照らし当該発明の課題を解決できると認識できる範囲のものであるか否かを検討して判断すべきものであり、明細書のサポート要件の存在は、特許出願人…が証明責任を負うと解するのが相当である。」とされている。（平成１７年（行ケ）１００４２号判決参照。）
　以下、この観点に立って検討する。
２．検討
（１）本件発明の解決課題
　本件特許に係る明細書（以下「本件特許明細書」という。）の発明の詳細な説明の記載（特に【０００５】及び【０００８】）からみて、
「機械的強度、耐久性の向上が挙げられる高性能化及び色調の改善が挙げられる高品質化を両立することが可能な樹脂組成物」の提供にあるものと認められる。
（２）検討
　本件特許明細書の発明の詳細な説明のうち、実施例に係る部分以外の部分（【０００１】ないし【００７９】）の記載に基づき、特に、請求項１に記載された「（Ｂ）ガラス系充填材のサイジング剤として少なくとも１種の酸成分を含み、前記（Ｂ）ガラス系充填材のサイジング剤の酸成分がカルボン酸である」について検討すると、当該「カルボン酸である」「酸成分」として「カルボン酸含有不飽和ビニル単量体と該カルボン酸含有不飽和ビニル単量体以外の不飽和ビニル単量体とを構成単位として含む共重合体、カルボン酸無水物含有不飽和ビニル単量体と該カルボン酸無水物含有不飽和ビニル単量体以外の不飽和ビニル単量体とを構成単位として含む共重合体等」が挙げられており、また、本件発明における上記「（Ｂ）ガラス系充填材」は「サイジング剤にて処理され、表面が変性されたものである」とされている（【００３３】）から、少なくともカルボン酸（無水物）基を有する各共重合体であればサイジング剤としての機能を発現することが記載されており、また、「所望の末端ＯＨ基濃度を有する（Ａ）ポリアセタール樹脂と、サイジング剤として少なくとも１種の酸成分を含むガラス系充填材、との組み合わせにより、従来ではなしえなかった、飛躍的な機械的強度、耐久性の向上と、成形後の変色の抑制の両立を達成することができる」ことも記載されている（【００１３】）。
　また、上記段落【００１３】の記載をみた上でカルボン酸が酸成分の具体例であることを勘案すれば、アクリル酸などの上記共重合体以外のカルボン酸をサイジング剤とした際に、上記共重合体と同様の機能を発現するものとも解するのが自然であり、当該機能を発現しないであろうと当業者が認識すべき技術常識が存するものとも認められない。
　さらに、本件特許明細書の発明の詳細な説明のうち、実施例に係る部分（【００８０】ないし【０１０９】）の記載を検討すると、「特許第４０６０８３１号公報の製造例１のもの（アクリル酸とアクリル酸メチルの共重合体を含有する）」なる特定のサイジング剤組成物又はポリマレイン酸単独を使用して処理したガラス繊維を（Ｂ）成分として使用した実施例の場合、上記（１）に示した本件発明に係る解決課題を解決できるような効果を奏することにつき当業者が看取・認識できるものと認められる。
　なお、申立人は、上記共重合体以外のカルボン酸では、同様の効果を奏し得ないことを具体的に論証しているものでもない。
　してみると、本件特許明細書の発明の詳細な説明の記載からみて、請求項１に記載された「カルボン酸である」「酸成分」をサイジング剤として使用する事項を具備する発明（本件発明１）が、上記解決課題を解決できるであろうことは、当業者が認識することができるものと認められる。
　したがって、本件特許明細書の発明の詳細な説明は、当業者が、本件の請求項１及び同項を直接又は間接的に引用する請求項２ないし８に記載された事項で特定される発明につき、上記課題を解決できると認識することができるように記載されているものといえるから、本件の請求項１ないし８の記載では、各項に記載された事項で特定される発明が、本件特許明細書の発明の詳細な説明に記載したものということができる。
３．取消理由３及びＡ−１に係る検討のまとめ
　以上のとおり、本件の請求項１ないし８の各記載は、いずれも特許法第３６条第６項第１号に適合するものであるから、同法同条同項（柱書）に規定する要件を満たしているから、本件の請求項１ないし８に係る発明についての特許は、いずれも特許法第３６条第６項に規定する要件を満たしていない特許出願に対してされたものでない。
　よって、申立人が主張する取消理由３及び当審が通知した取消理由Ａ−１はいずれも理由がない。
ＩＩＩ．取消理由４について
１．実施可能要件に係る考え方について（前提）
　一般に「方法の発明における発明の実施とは，その方法の使用をすることをいい（特許法２条３項２号），物の発明における発明の実施とは，その物を生産，使用等をすることをいうから（同項１号），方法の発明については，明細書にその方法を使用できるような記載が，物の発明については，その物を製造する方法についての具体的な記載が，それぞれ必要があるが，そのような記載がなくても明細書及び図面の記載並びに出願当時の技術常識に基づき当業者がその方法を使用し，又はその物を製造することができるのであれば，上記の実施可能要件を満たすということができる。」とされている〔平成２２年（行ケ）１０３４８号判決参照。〕。
　以下、この観点に立って検討する。
２．検討
　本件発明１ないし８はいずれも「ポリアセタール樹脂組成物」又は「成形体」なる物の発明に係るものである。
　そして、本件特許明細書の発明の詳細な説明には、本件の各請求項に記載された事項を具備するための各事項（成分種別、例示など）に係る記載があるとともに、さらに、少なくとも請求項１に記載された事項を具備するものと認められる実施例１ないし１１につき記載されており、各実施例において、上記ＩＩ．１．で示した本件発明の解決課題に則した効果を奏することも記載されている。
　してみると、上記発明の詳細な説明は、本件発明１ないし７における「ポリアセタール樹脂組成物」又は請求項８における「成形体」を当業者が製造することができるように記載されているものといえる。
　なお、申立人は、申立書第１９頁ないし第２１頁において、（ア）「酸成分」の量比条件、種別が不明であり、「ガラス系充填材の表面」が「変性されている」ことがどのような変性を意味するのか不明であること、（イ）サイジング剤としてポリマレイン酸単独で処理したガラス繊維の意味が不明であること並びに（ウ）ポリアセタール樹脂の末端ＯＨ基濃度に係る要件のみが本件発明に係る解決課題に則した「色調」及び「エージング変色性」に係る効果に相関するとはいえないことをそれぞれ主張し、本件特許明細書の発明の詳細な説明は、本件発明を当業者が実施できる程度に明確かつ十分に記載していない旨主張している。
　しかるに、上記（ア）の点については、請求項１において、「（Ｂ）ガラス系充填材のサイジング剤として少なくとも１種の酸成分を含」むこと及び「前記（Ｂ）ガラス系充填材のサイジング剤の酸成分がカルボン酸である」ことにつき規定されているところ、発明の詳細な説明には、ガラス系充填材は、サイジング剤にて処理され、表面が変性されたものであること及びそのサイジング剤の具体例が記載され（【００３３】）、また、当該サイジング剤により変性処理したガラス繊維に係る具体例が記載されている（【０１０１】）から、当業者であればこれらの記載に照らして過度の試行錯誤をすることなく本件発明１を実施できるといえる。
　また、（イ）の点については、発明の詳細な説明の【０１０１】に記載されているとおり、「（Ｂ３）」なるガラス繊維につき、サイジング剤としてポリマレイン酸単独で処理したガラス繊維であり、特に不明な点はないので、申立人の主張は採用できない。
、さらに、上記（ウ）の点についても、本件発明に係る具体例であるものと解される実施例において、本件発明に係る所期の効果を奏していることが確認できるものであって、本件発明のうち、例えば、ポリアセタール樹脂の末端ＯＨ濃度が異なれば、色調は多少変化することは、実施例２と４の対比から確認できるところ、申立人が主張する蛍光漂白剤の影響は仮説にすぎず採用できない。
　してみると、申立人の上記主張は、いずれも当を得ないものであり、採用することができない。
　以上を総合すると、本件特許明細書の発明の詳細な説明は、本件発明１ないし８に係る物の発明を当業者が実施できる程度に明確かつ十分に記載されているものといえる。
３．実施可能要件に係る検討のまとめ
　以上のとおり、本件特許明細書の発明の詳細な説明は、本件の請求項１ないし８に係る発明につき当業者が実施できる程度に記載されているものであって、特許法第３６条第４項第１号に規定する要件を満たしているものであるから、申立人が主張する取消理由４は理由がない。
ＩＶ．取消理由Ａ−２及びＢについて
１．取消理由Ａ−２について
（１）取消理由Ａ−２の概要
　当審が通知した取消理由Ａ−２は、以下の（ａ）及び（ｂ）の点をいうものである。
（ａ）訂正前の請求項１における「酸成分」が極めて多種多岐にわたる物性（揮発性など）を有する極めて多種の化合物が含まれるものであり、「ガラス系充填材のサイジング剤として」の「酸成分」がいかなる成分であるのか不明であることに基づき、訂正前の本件の請求項１及び同項を引用する請求項２ないし８の記載では、各項に記載された事項で特定される特許を受けようとする発明が明確でない。
（ｂ）本件の請求項６における「ポリアセタール樹脂がブロック成分を含む」なる表現では、多義的に理解できるものであることに基づき、請求項６並びに同項を引用する請求項７及び８の記載では、各項に記載された事項で特定される特許を受けようとする発明が明確でない。
（２）検討
　上記（ａ）の点につき検討すると、本件訂正により請求項１における「酸成分」につき「カルボン酸である」旨に減縮規定され、上記ＩＩ．２，（２）でも説示したとおり、「カルボン酸」であればその種別にかかわらず同等の機能を発現するものと解されるから、本件訂正により請求項１に係る発明は明確になったものといえる。
　また、上記（ｂ）の点につき本件特許明細書の発明の詳細な説明の記載に基づき再度検討すると、「ブロック成分」につき、本件特許明細書の「ポリアセタールコポリマーは、ポリアセタールの繰り返し構造単位とは異なる異種の
ブロック
ブロック
（３）小括
　したがって、上記（ａ）及び（ｂ）の点は、いずれも解消され、本件訂正後の請求項１ないし８の記載は、特許法第３６条第６項第２号に適合するものといえる。
２．取消理由Ｂについて
　取消理由Ｂは、令和２年８月３１日付け訂正請求により訂正された請求項１又は２を引用する請求項３につき、請求項２が訂正されたことにより技術的に不整合となり、請求項３に係る発明が明確でないというものである。
　しかしながら、本件訂正により、請求項３は、請求項１のみを引用するものとなり、請求項２を引用しないものとなったから、当該不整合は解消され。請求項３に係る発明は明確となり、特許法第３６条第６項第２号に適合するものといえる。
３．取消理由Ａ−２及びＢに係る検討のまとめ
　以上のとおり、当審が通知した取消理由Ａ−２及びＢは、いずれも理由がない。
Ｖ．当審の判断のまとめ
　よって、本件の請求項１ないし８に係る発明についての特許は、当審が通知した取消理由及び申立人が主張する取消理由につき、いずれも理由がなく、取り消すことができない。
　
第７　むすび
　以上のとおりであるから、本件訂正については適法であるからこれを認める。
　また、本件の請求項１ないし８に係る発明についての特許は、当審が通知した理由並びに申立人が主張する理由及び提示した証拠によっては、取り消すことができない。
　ほかに、本件の請求項１ないし８に係る発明についての特許を取り消すべき理由を発見しない。
　よって、結論のとおり決定する。
【異議決定日】
令和３年７月１５日（２０２１．７．１５）
【訂正の要旨】
審決（決定）の【理由】欄参照。
（５７）【特許請求の範囲】
　【請求項１】
　（Ａ）ポリアセタール樹脂１００質量部と、（Ｂ）ガラス系充填材１０質量部以上１００質量部以下と、を含むポリアセタール樹脂組成物であって、（Ａ）ポリアセタール樹脂の末端ＯＨ基濃度が２以上１５ｍｍｏｌ／ｋｇ以下であり、かつ、（Ｂ）ガラス系充填材のサイジング剤として少なくとも１種の酸成分を含
み、
　
前記（Ｂ）ガラス系充填材のサイジング剤の酸成分がカルボン酸である
　【請求項２】
　
前記カルボン酸が、カルボン酸含有不飽和ビニル単量体と該カルボン酸含有不飽和ビニル単量体以外の不飽和ビニル単量体とを構成単位として含む共重合体、カルボン酸無水物含有不飽和ビニル単量体と該カルボン酸無水物含有不飽和ビニル単量体以外の不飽和ビニル単量体とを構成単位として含む共重合体、及び、ポリマレイン酸からなる群より選択される少なくとも１種
　【請求項３】
　前記（Ｂ）ガラス系充填材のサイジング剤の酸成分がアクリル酸である、請求項
１記
　【請求項４】
　前記（Ａ）ポリアセタール樹脂１００質量部に対して、さらに（Ｃ）ホルムアルデヒド捕捉剤を０．０１〜５質量含む、請求項１〜３のいずれか１項に記載のポリアセタール樹脂組成物。
　【請求項５】
　前記（Ａ）ポリアセタール樹脂１００質量部に対して、さらに（Ｄ）耐候剤を０．０１〜５質量部含む、請求項１〜４のいずれか１項に記載のポリアセタール樹脂組成物。
　【請求項６】
　前記（Ａ）ポリアセタール樹脂がブロック成分を含む、請求項１〜５のいずれか１項に記載のポリアセタール樹脂組成物。
　【請求項７】
　前記ブロック成分が水素添加ポリブタジエン成分である、請求項６に記載のポリアセタール樹脂組成物。
　【請求項８】
　請求項１〜７のいずれか１項に記載のポリアセタール樹脂組成物を含む成形体。